(57)【要約】【課題】アナログ放送とデジタル放送で交互にチャンネルサーチし、サーチ結果を相互利用することで高速なチャンネルサーチを実現すること。【解決手段】アナログ放送とデジタル放送を受信可能な放送受信装置であって、アナログ放送のチャンネルサーチ機能とデジタル放送のチャンネルサーチ機能とを有し、アナログ放送とデジタル放送のチャンネルサーチ機能によるチャンネルサーチ結果を登録する登録機能を有し、アナログ放送とデジタル放送のチャンネルサーチ機能によるチャンネルサーチのときに登録されたチャンネルサーチ結果を参照する参照機能を有し、チャンネルサーチを実施する際に、当該チャンネルサーチの参照機能を稼働させてチャンネルサーチ結果を取得し（Ｓ２、Ｓ６）、取得したチャンネルサーチ結果に基づいてアナログ放送のチャンネルサーチにするか（Ｓ３）デジタル放送のチャンネルサーチにするか（Ｓ７）を判定する。【選択図】図３
2007259071.tif 000002
【特許請求の範囲】
【請求項１】
アナログ放送とデジタル放送を受信可能な放送受信装置であって、
前記アナログ放送のチャンネルサーチ機能と前記デジタル放送のチャンネルサーチ機能とを有し、
前記アナログ放送と前記デジタル放送のチャンネルサーチ機能によるチャンネルサーチ結果を登録する登録機能を有し、
前記アナログ放送と前記デジタル放送のチャンネルサーチ機能によるチャンネルサーチのときに前記登録されたチャンネルサーチ結果を参照する参照機能を有し、
チャンネルサーチを実施する際に、当該チャンネルサーチの前記参照機能を稼働させてチャンネルサーチ結果を取得し、前記取得したチャンネルサーチ結果に基づいてアナログ放送のチャンネルサーチにするかデジタル放送のチャンネルサーチにするかを判定する
ことを特徴とする放送受信装置。
【請求項２】
請求項１において、
前記アナログ放送のチャンネルサーチは、チャンネルサーチの順番として、アナログ放送が多く配置されている低周波数帯から優先的にチャンネルサーチすることを特徴とする放送受信装置。
【請求項３】
請求項１において、
前記デジタル放送のチャンネルサーチは、チャンネルサーチの順番として、デジタル放送が多く配置されている高周波数帯から優先的にチャンネルサーチすることを特徴とする放送受信装置。
【請求項４】
請求項１、２または３において、
前記アナログ放送のチャンネルサーチと前記デジタル放送のチャンネルサーチは、交互に実施されることを特徴とする放送受信装置。
【請求項５】
請求項１において、
前記チャンネルサーチ結果を登録する登録機能は、各チャンネルにおいて、前記アナログ放送のチャンネルサーチ終了後または前記デジタル放送のチャンネルサーチ終了後に登録する
ことを特徴とする放送受信装置。
【請求項６】
請求項１において、
前記登録されたチャンネルサーチ結果を参照する参照機能は、各チャンネルにおいて、前記アナログ放送のチャンネルサーチ開始前または前記デジタル放送のチャンネルサーチ開始前に参照する
ことを特徴とする放送受信装置。
【請求項７】
請求項１において、
前記アナログ放送の受信機能と前記デジタル放送の受信機能は、単一または複数のチューナで受信可能であることを特徴とする放送受信装置。
【請求項８】
請求項１、２または３において、
前記アナログ放送のチャンネルサーチに際して、当該チャンネルにおける前記取得したチャンネルサーチ結果が、チャンネルサーチ未実施の場合または前記デジタル放送のチャンネルサーチで放送が見つからない場合には、当該チャンネルのアナログ放送のチャンネルサーチを実施し、
前記未実施の場合または前記見つからない場合以外のときには、当該チャンネルにおけるアナログ放送のチャンネルサーチを実施せずに、前記デジタル放送のチャンネルサーチを実施する
ことを特徴とする放送受信装置。
【請求項９】
アナログ放送とデジタル放送を受信可能な放送受信装置であって、
前記アナログ放送のチャンネルサーチと前記デジタル放送のチャンネルサーチが実施可能であり、
前記アナログ放送と前記デジタル放送のチャンネルサーチによるチャンネルサーチ結果を（１〜ｎ）チャンネル毎に、チャンネルサーチ未実施、アナログ放送の有無、またはデジタル放送の有無を登録し、
ｉ（１≦ｉ≦ｎの整数値）チャンネルのチャンネルサーチに際して、ｉチャンネルのチャンネルサーチ結果を参照し、前記チャンネルサーチ未実施または前記デジタル放送無しの場合に、ｉチャンネルのアナログ放送のチャンネルサーチを実施して当該実施の結果を登録し、
前記ｉチャンネルのチャンネルサーチ結果を参照し、前記デジタル放送有りの場合に、ｉチャンネルのアナログ放送のチャンネルサーチを実施することなく、（ｎ−ｉ＋１）チャンネルのチャンネルサーチ結果を参照し、前記チャンネルサーチ未実施または前記アナログ放送無しの場合に、（ｎ−ｉ＋１）チャンネルのデジタル放送のチャンネルサーチを実施し、当該実施の結果を登録し、
前記（ｎ−ｉ＋１）チャンネルのチャンネルサーチ結果を参照し、アナログ放送有りの場合に、（ｎ−ｉ＋１）チャンネルのデジタル放送のチャンネルサーチを実施することなく、（ｉ＋１）チャンネルのチャンネルサーチを実施する
ことを特徴とする放送受信装置。
【発明の詳細な説明】
【技術分野】
【０００１】
本発明は、アナログ・デジタル放送受信可能な放送受信装置において、デジタルチャンネルの周波数配置特性を利用した高速チャンネルサーチ技術に関する。
【背景技術】
【０００２】
高速チャンネルサーチに関する従来技術は多数、提案されている。例えば、特許文献１のように、アナログ放送受信用のアナログチューナとデジタル放送受信用のデジタルチューナが各一つずつ搭載されており、アナログチャンネルサーチとデジタルチャンネルサーチを二つのＣＰＵで平行して実行することにより、チャンネルサーチ時間の短縮を図る技術が提案されている。また、デジタルチャンネルの配置特性を利用した高速チャンネルサーチ技術は、例えば、特許文献２に提案されている。
【特許文献１】特開２００２−１７１４５３号公報
【特許文献２】特開２００４−３６３６６０号公報
【発明の開示】
【発明が解決しようとする課題】
【０００３】
ところで、従来、チャンネルサーチは全てのチャンネルに対して実施されていて、チャンネル数が増大するに伴い、チャンネルサーチに必要な時間も増大していた。近年、デジタル放送開始に伴い、チャンネル数の増加が著しい。さらに、現在はアナログ放送も行われているためアナログ、デジタルのチャンネルサーチが必要となり、チャンネルサーチに多大な時間を費やしてしまう。
【０００４】
高速チャンネルサーチについての上記特許文献１の開示技術では、複数のＣＰＵ、チューナを搭載していて、コスト的にデメリットが大きく、単一のＣＰＵ、チューナで高速なチャンネルサーチを行う観点での配慮がされていない。また、上記特許文献２の開示技術はデジタルサーチのみに限った内容であり、アナログ・デジタルサーチ結果の相互利用に関して配慮がされていない。
【０００５】
本発明の目的は、アナログ放送とデジタル放送とが混在する放送のチャンネルサーチにおいて、全てのチャンネルをサーチする必要がなく、高速なチャンネルサーチを実現するサーチ手法を提供することにある。
【課題を解決するための手段】
【０００６】
前記課題を解決するために、本発明は主として次のような構成を採用する。  
アナログ放送とデジタル放送を受信可能な放送受信装置であって、
前記アナログ放送のチャンネルサーチ機能と前記デジタル放送のチャンネルサーチ機能とを有し、
前記アナログ放送と前記デジタル放送のチャンネルサーチ機能によるチャンネルサーチ結果を登録する登録機能を有し、
前記アナログ放送と前記デジタル放送のチャンネルサーチ機能によるチャンネルサーチのときに前記登録されたチャンネルサーチ結果を参照する参照機能を有し、
チャンネルサーチを実施する際に、当該チャンネルサーチの前記参照機能を稼働させてチャンネルサーチ結果を取得し、前記取得したチャンネルサーチ結果に基づいてアナログ放送のチャンネルサーチにするかデジタル放送のチャンネルサーチにするかを判定する構成とする。
【０００７】
また、前記放送受信装置において、前記アナログ放送のチャンネルサーチは、チャンネルサーチの順番として、アナログ放送が多く配置されている低周波数帯から優先的にチャンネルサーチし、前記デジタル放送のチャンネルサーチは、チャンネルサーチの順番として、デジタル放送が多く配置されている高周波数帯から優先的にチャンネルサーチする構成とする。
【０００８】
また、前記放送受信装置において、前記アナログ放送のチャンネルサーチに際して、当該チャンネルにおける前記取得したチャンネルサーチ結果が、チャンネルサーチ未実施の場合または前記デジタル放送のチャンネルサーチで放送が見つからない場合には、当該チャンネルのアナログ放送のチャンネルサーチを実施し、
前記未実施の場合または前記見つからない場合以外のときには、当該チャンネルにおけるアナログ放送のチャンネルサーチを実施せずに、前記デジタル放送のチャンネルサーチを実施する構成とする。
【発明の効果】
【０００９】
本発明によると、全てのチャンネルをサーチする必要がなくなるため、一般的なチャンネルサーチ法と比較して、高速にサーチすることができる。一般的にチャンネルサーチは放送受信装置の初起動直後に行われるため、チャンネルサーチが高速になることでユーザはいち早く放送受信装置を利用することができる。
【発明を実施するための最良の形態】
【００１０】
本発明の実施形態に係る放送受信装置について、北米ケーブルテレビ放送のチャンネルサーチを例示して図１〜図３を参照しながら以下詳細に説明する。
【００１１】
図１は本発明の実施形態に係るデジタル放送受信装置の概略構成を示すブロック図である。図２は本実施形態に関するチャンネルサーチの結果を登録および参照するためのサーチ結果表を示す図である。図３は本実施形態に関するチャンネルサーチの手順を示すフローチャートである。
【００１２】
図１に示すデジタル放送受信装置は、アンテナ１、デジタル・アナログチューナ（アナログ放送の受信とデジタル放送の受信とを単一又は複数のチューナで受信する）２、ＣＰＵ３、サーチ結果処理部４、記憶装置５、表示部６から構成されている。ここで、本実施形態は、サーチするチャンネル順を工夫することで高速化を実現することが特徴であり、復調部やデコード部等のハードウェア構成やチャンネルサーチのアルゴリズムは、一般的な方法でよいため、詳細な説明は省略している。なお、チャンネルサーチは、一般的に云って、放送受信装置の初起動直後、ユーザの転居時等、又は放送局の新設、変更後に実施されるものである。
【００１３】
図２はチャンネルサーチの結果を登録および参照するためのサーチ結果表である。フラグは０：サーチ前もしくは放送なし、１：アナログ放送有り、２：デジタル放送有りを示している。チャンネルサーチ前はフラグを全て０にしておき、チャンネルサーチによってアナログ放送を見つければ１を、デジタル放送を見つければ２をフラグ欄に記入していく。図２の左図はサーチ結果表の初期であり、右部はチャンネルサーチの途中経過のサーチ結果を示す図である。
【００１４】
図３は本実施形態におけるチャンネルサーチのフローチャートの一例である。具体例として北米ケーブルテレビ放送を例に挙げているため、１３５チャンネルまでとしている。しかし、国や地域、放送形態（ケーブルテレビ、地上波放送、衛星放送等）が変わっても、チャンネル数が変更になるだけであり、本発明の技術思想は当然に利用可能である。
【００１５】
北米ケーブルテレビ放送では、チャンネル数が１００チャンネル以上あることに加えて、アナログ、デジタルそれぞれにＳＴＤ（ｓｔａｎｄａｒｄ  ＣＡＴＶ  ｆｒｅｑｕｅｎｃｙ）、ＩＲＣ（Ｉｎｃｒｅｍｅｎｔａｌｌｙ  Ｒｅｌａｔｅｄ  Ｃａｒｒｉｅｒ）、ＨＲＣ（Ｈａｒｍｏｎｉｃａｌｌｙ  Ｒｅｌａｔｅｄ  Ｃａｒｒｉｅｒ）の３種類の周波数プランがある。それらのうち、どの周波数プランを受信しているかを判定しなければ、放送を受信することができない。そのため、周波数プランが確定するまでは、各チャンネルに対して周波数プランの判定が必要となる。しかしながら、前述の通り、デジタル放送は高周波数帯に多く配置されているため、一般的な１チャンネルからのサーチ方法では、周波数プランの確定までに多大な時間が必要となってしまうという課題が存していた。
【００１６】
一方、アナログ放送は低周波数帯に多く配置されているため、周波数プランの確定は比較的簡単であるが、一般的なサーチ法ではアナログ放送があまり配置されていない高周波数帯もサーチしてしまうという課題が存していた。
【００１７】
本発明の実施形態はこのような課題を解決するためのものであり、以下の説明は、本発明の実施形態における一例として記述する。話を簡単にするために、アナログ、デジタルとも１〜１３５チャンネルまでとして以下述べる。
【００１８】
図３において、まず、ｉ＝１（ｉはサーチのステップを表すものであり、アナログサーチのチャンネルと同義である）としてチャンネルサーチをスタートさせる（ステップＳ１）。サーチ結果処理部４中の記憶装置５内にある、サーチ結果表のｉチャンネル（ｉｃｈ）のフラグをチェックし（チャンネルサーチの途中経過（結果）を参照することである）（ステップＳ２）、このフラグが０であれば、サーチが未実施もしくはデジタルサーチで放送が見つかっていないことになるのでアナログのｉチャンネルをサーチし（ステップＳ３）、ステップＳ４へ進む。
【００１９】
ステップＳ４でアナログ放送が見つかれば、図２に示すサーチ結果表のｉチャンネルのフラグを１にして（チャンネルサーチの結果を登録することである）（ステップＳ５）、デジタルサーチの準備として、（１３５−ｉ＋１）チャンネルのフラグをチェックする（チャンネルサーチの途中経過（結果）を参照することである）（ステップＳ６）。
【００２０】
一方、ステップＳ４でアナログ放送が見つからなければ、そのままステップＳ６へ進む。ステップＳ６でのフラグが０であれば、サーチが未実施もしくはアナログサーチで放送が見つかっていないことになるので、デジタルの（１３５−ｉ＋１）チャンネルをサーチし（ステップＳ７）、ステップＳ８へ進む。ステップＳ８でデジタル放送が見つかれば、記憶装置５内のサーチ結果表の（１３５−ｉ＋１）チャンネルのフラグを２にして（チャンネルサーチの結果を登録することである）（ステップＳ９）、終了判定を行う（ステップＳ１０）。終了条件（ｉ＝１３５）を満たすのであれば、サーチを終了する（ステップＳ１２）。ステップＳ１０で終了条件を満たさないのであれば、次のチャンネルをサーチするためにｉを＋１インクリメント（ステップＳ１１）し、ステップＳ２へ戻る。一方、ステップＳ８でデジタル放送が見つからなければ、そのままステップＳ１０へ進む。
【００２１】
一方、ステップＳ２でサーチ結果表のｉチャンネルのフラグが０以外であれば、ｉチャンネルのアナログサーチは不要のため、ステップＳ６へ進む。ステップＳ６でも同様に、サーチ結果表の（１３５−ｉ＋１）チャンネルのフラグが０以外であれば、（１３５−ｉ＋１）チャンネルのデジタルサーチは不要のため、ステップＳ１０へ進む。
【００２２】
なお、上述のフローはアナログチャンネルサーチからスタートするとして説明したが、これに限らず、デジタルチャンネルサーチを高周波数帯からスタートさせても良い。
【００２３】
以上の操作を繰り返すことで、低周波数帯に多く配置されているアナログ放送はチャンネル値の昇順に、高周波数帯に多く配置されているデジタル放送はチャンネル値の降順にサーチすることができる。さらに、サーチ結果表を用いてサーチするか否かの判定をするため、アナログ放送が見つかっているチャンネルのデジタルサーチ、デジタル放送が見つかっているチャンネルのアナログサーチを相互に防ぐことができ、その結果、チャンネルサーチに必要となる時間を削減できる。
【００２４】
以上説明したように、本発明の実施形態に係るアナログ・デジタル放送受信可能な放送受信装置は、デジタル放送の周波数配置特性を利用すると同時に、アナログ放送とデジタル放送で交互にチャンネルサーチし、サーチ結果を相互利用（アナログ放送チャンネルサーチとデジタル放送チャンネルサーチの結果を互いに利用）することで高速なチャンネルサーチを実現することを主たる特徴とするものである。
【００２５】
そして、本実施形態では具体的手法、構成として、デジタル放送の周波数配置特性に注目する。すなわち、従来から放送されていたアナログ放送は低周波数帯に多く存在し、一方、デジタル放送はアナログ放送が配置されている周波数帯を避けて配置されているため、アナログ放送よりも高周波数帯に配置されていることが多いことに着目する。
【００２６】
また、現在ではアナログ放送とデジタル放送が混在している。しかしながら、アナログ放送とデジタル放送を同一チャンネルで放送されることはない。例えば、３チャンネルがアナログ放送のとき同じ３チャンネルにはデジタル放送はされていないということである。言い換えれば、片方の放送でチャンネルが見つかれば、他方の放送での同一チャンネルでのチャンネルサーチは不必要である。
【００２７】
また、アナログ放送のチャンネルサーチは一般的なチャンネルサーチと同様、チャンネル値の昇順でサーチする。一方、デジタル放送のチャンネルサーチはデジタルチャンネルが多く配置されている高周波数帯を優先的、つまり、チャンネル値の降順でサーチする。さらに、アナログサーチとデジタルサーチを交互に行い、一方の放送のサーチで放送が見つかったチャンネルは他方の放送ではサーチしない。
【００２８】
したがって、一般的なチャンネルサーチでは、全てのチャンネルをアナログとデジタルでサーチしていたのに対して、本発明では、アナログとデジタルの全てのチャンネルをサーチする必要がない。その結果、高速なチャンネルサーチが実現できる。
【図面の簡単な説明】
【００２９】
【図１】本発明の実施形態に係るデジタル放送受信装置の概略構成を示すブロック図である。
【図２】本実施形態に関するチャンネルサーチの結果を登録および参照するためのサーチ結果表を示す図である。
【図３】本実施形態に関するチャンネルサーチの手順を示すフローチャートである。
【符号の説明】
【００３０】
１  アンテナ
２  アナログ・デジタルチューナ
３  ＣＰＵ
４  サーチ結果処理部
５  記憶装置
６  表示部
【図１】
2007259071.tif 000003
【図２】
2007259071.tif 000004
【図３】
2007259071.tif 000005